(57)【要約】【課題】自立的に展開でき且つ自然に折り畳まれることを抑制できる展開式プレート及びこれを備えた広告塔を課題とする。【解決手段】第１の状態と第２の状態との間で変形される展開式プレート１０であって、ベースプレート部２０、保持プレート部３０、及び展開手段６０を有する。ベースプレート部２０は、第１の状態のときに折り畳まれ且つ第２の状態のときに展開される。保持プレート部３０は、第１の状態のときに折り畳まれ且つ第２の状態のときに展開され、第２の状態のときにベースプレート部２０の展開状態を保持するように構成される。展開手段６０は、ベースプレート部２０及び保持プレート部３０が第１の状態になることを許容すると共に、ベースプレート部２０が第１の状態から第２の状態に移行されるときに、保持プレート部３０を第１の状態から第２の状態に移行させるように構成される。【選択図】図１２
2007304127.tif 000002
【特許請求の範囲】
【請求項１】
第１の状態と第２の状態との間で変形される展開式プレートであって、
前記第１の状態のときに折り畳まれ且つ前記第２の状態のときに展開されるベースプレート部と、
前記第１の状態のときに折り畳まれ且つ前記第２の状態のときに展開される保持プレート部であって、前記第２の状態のときに当該ベースプレート部の展開状態を保持するように構成された保持プレート部と、
前記ベースプレート部及び前記保持プレート部が前記第１の状態になることを許容すると共に、前記ベースプレート部が前記第１の状態から前記第２の状態に移行されるときに、前記保持プレート部を前記第１の状態から前記第２の状態に移行させるように構成された展開手段と、
を備えた展開式プレート。
【請求項２】
前記展開手段は、前記第２の状態のときに前記保持プレート部の展開状態を保持するように構成されている、請求項１に記載の展開式プレート。
【請求項３】
前記展開手段は、前記ベースプレート部と前記保持プレート部との間に掛け渡された輪ゴムである、請求項１又は２に記載の展開式プレート。
【請求項４】
前記ベースプレート部は、折り目を有し、当該折り目を介して前記第１の状態のときに折り畳まれ且つ前記第２の状態のときに展開され、
前記保持プレート部は、前記折り目の延在方向に延在する第１の折り目と、前記第１の折り目を横切る第２の折り目と、を有し、
前記保持プレート部は、前記第１の状態のときに、前記第１の折り目を介して前記ベースプレート部と同方向に折り畳まれる一方、前記第２の状態のときに、前記第１の折り目を介して前記ベースプレート部と同方向に展開されると共に前記第２の折り目を介して前記ベースプレート部の展開状態を保持するように折られる、請求項１又は２に記載の展開式プレート。
【請求項５】
前記第２の折り目は、前記ベースプレート部と前記保持プレート部との境界を画定する、請求項４に記載の展開式プレート。
【請求項６】
前記保持プレート部は、前記第２の折り目に平行な第３の折り目を有し、前記第２の状態のときに、さらに前記第３の折り目を介して前記ベースプレート部の展開状態を保持するように折られる、請求項５に記載の展開式プレート。
【請求項７】
前記第２の折り目は、前記第１の折り目に直交する、請求項４ないし６のいずれか一項に記載の展開式プレート。
【請求項８】
前記ベースプレート部は、前記折り目を中心に線対称に形成され、
前記保持プレート部は、前記第１の折り目を中心に線対称に形成されている、請求項４ないし７のいずれか一項に記載の展開式プレート。
【請求項９】
前記展開手段は、前記ベースプレート部及び前記保持プレート部がそれぞれ前記折り目及び前記第１の折り目を介して折り畳まれるように張力を付与すると共に、前記保持プレート部が前記第２の折り目を介して折られるように張力を付与する、請求項４ないし８のいずれか一項に記載の展開式プレート。
【請求項１０】
前記展開手段は、前記折り目及び前記第１の折り目の少なくとも一つと、前記第２の折り目と、をそれぞれ跨ぐように、前記ベースプレート部と前記保持プレート部との間に掛け渡された可撓性の張力付与部材である、請求項９に記載の展開式プレート。
【請求項１１】
請求項１ないし１０のいずれか一項に記載の展開式プレートが内部に設けられ、扁平状態と膨張状態との間で変形される広告塔であって、
前記展開式プレートは、前記扁平状態のときに前記第１の状態に変形可能に構成される一方、前記膨張状態のときに前記第２の状態に変形されることにより、当該膨張状態を保持可能に構成されている、広告塔。
【請求項１２】
請求項４ないし１０のいずれか一項に記載の展開式プレートが下部に設けられ、少なくとも当該下部が扁平状態と膨張状態との間で変形される広告塔であって、
前記展開式プレートは、前記ベースプレート部の前記折り目に直交する方向の端部から延在し、当該広告塔の倒伏を抑制する倒伏抑制プレート部を有し、
前記展開式プレートは、前記扁平状態のときに前記第１の状態に変形可能に構成される一方、前記膨張状態のときに前記第２の状態に変形されることにより、前記倒伏抑制プレート部が当該広告塔の外側の設置面に着地可能に構成されている、広告塔。
【請求項１３】
前記ベースプレート部、前記保持プレート部及び前記展開手段は、当該広告塔の下部の内部に位置し、
前記倒伏抑制プレート部は、当該広告塔の下部の外部に位置する、請求項１２に記載の広告塔。
【請求項１４】
前記展開式プレートは、前記ベースプレート部又は前記倒伏抑制プレート部から延在し、当該展開式プレートを当該広告塔の下部に固定するための固定部を有する、請求項１２又は１３に記載の広告塔。
【請求項１５】
前記展開式プレートは、前記扁平状態から前記膨張状態への前記広告塔の変形に連動して、前記第１の状態から前記第２の状態に変形するように構成されている、請求項１１ないし１４のいずれか一項に記載の広告塔。
【発明の詳細な説明】
【技術分野】
【０００１】
本発明は、第１の状態と第２の状態との間で変形される展開式プレート、及びこれが設けられた広告塔に関するものである。
【背景技術】
【０００２】
新商品や新サービスのキャンペーンでは、さまざまな広告塔が用いられている。例えば、コンビニエンスストアの店先には、新商品を表示した旗竿タイプの広告塔が設置される。この広告塔の設置では、例えば旗竿が石の台座に差し込まれ、あるいは道路のガードフェンスなどの既存設備に紐で結び付けられる方法がとられている。また、商品の販売促進や会社の宣伝のために、卓上カレンダーなどの広告塔も用いられることもある。
【０００３】
広告塔として、縦長筒状の外周面に所望の広告を表示するものが知られている（例えば非特許文献１及び２参照。）。この広告塔は、例えば２枚の厚紙をつなぎ合わせてなり、縦長筒状の膨張状態から扁平状態へと折畳み変形可能に構成されている。このため、広告塔を宣伝として使用する必要がない例えば運搬時や保管時には、折り畳んでコンパクトにできるようになっている。
【非特許文献１】意匠登録第１１３８９５８号公報
【非特許文献２】意匠登録第１１４７７１５号公報
【発明の開示】
【発明が解決しようとする課題】
【０００４】
ところで、上記広告塔には、その膨張状態を維持するための部材を設けることが好ましい。この部材としては、広告塔の内部に設けることができて、広告塔の扁平状態から膨張状態への変形の際に展開されるプレート状のものが考えられる。しかし、従来では、この種の展開式のプレート状部材として好適なものがなかった。
【０００５】
本発明は、自立的に展開でき且つ自然に折り畳まれることを抑制できる展開式プレート及びこれを備えた広告塔を提供することをその目的としている。
【課題を解決するための手段】
【０００６】
上記目的を達成するための本発明の展開式プレートは、第１の状態と第２の状態との間で変形される展開式プレートであって、第１の状態のときに折り畳まれ且つ第２の状態のときに展開されるベースプレート部と、第１の状態のときに折り畳まれ且つ第２の状態のときに展開される保持プレート部であって、第２の状態のときにベースプレート部の展開状態を保持するように構成された保持プレート部と、ベースプレート部及び保持プレート部が第１の状態になることを許容すると共に、ベースプレート部が第１の状態から第２の状態に移行されるときに、保持プレート部を第１の状態から第２の状態に移行させるように構成された展開手段と、を備えたものである。
【０００７】
この構成によれば、第１の状態のときにベースプレート部及び保持プレート部が折り畳まれるので、展開式プレートをコンパクトにできる。一方、ベースプレート部が展開されるときに、折り畳まれた保持プレート部を展開手段によって自立的に展開させることができる。そして、ベースプレート部及び保持プレート部が展開された第２の状態のときには、この展開された保持プレート部によって、ベースプレート部が自然に折り畳まれることを抑制できる。
【０００８】
この場合、展開手段は、第２の状態のときに保持プレート部の展開状態を保持するように構成されていることが好ましい。
【０００９】
この構成によれば、第２の状態のときに、保持プレート部が自然に折り畳まれることを抑制でき、展開式プレートが第１の状態に自然に変形することを抑制できる。
【００１０】
この場合、展開手段は、ベースプレート部と保持プレート部との間に掛け渡された輪ゴムであることが好ましい。
【００１１】
こうすることで、展開手段を簡易な構成とすることができる。
【００１２】
本発明の展開式プレートの一態様によれば、ベースプレート部は、折り目を有し、折り目を介して第１の状態のときに折り畳まれ且つ第２の状態のときに展開され、保持プレート部は、ベースプレート部の折り目の延在方向に延在する第１の折り目と、第１の折り目を横切る第２の折り目と、を有し、保持プレート部は、第１の状態のときに、第１の折り目を介してベースプレート部と同方向に折畳まれる一方、第２の状態のときに、第１の折り目を介してベースプレート部と同方向に展開されると共に第２の折り目を介してベースプレート部の展開状態を保持するように折られることが好ましい。
【００１３】
この構成によれば、第１の状態のときに、ベースプレート部及び保持プレート部が同方向に折畳まれるので、全体としてコンパクトにできる。また、第２の状態のときに、ベースプレート部及び保持プレート部が同方向に展開される。この第２の状態のとき、保持プレート部が第１の折り目を横切る第２の折り目で折られるため、保持プレート部は、第１の折り目で折られることを抑制されるようになると共に、ベースプレート部が折り目で折られることを抑制できる。これにより、ベースプレート部及び保持プレート部の両方が自然に折り畳まれることを抑制できる。
【００１４】
上記一態様の場合、第２の折り目は、ベースプレート部と保持プレート部との境界を画定することが、好ましい。
【００１５】
この構成によれば、保持プレート部は、ベースプレート部が折り目を介して自然に折られることをより一層抑制できる。
【００１６】
この場合、保持プレート部は、第２の折り目に平行な第３の折り目を有し、第２の状態のときに、さらに第３の折り目を介してベースプレート部の展開状態を保持するように折られることが、好ましい。
【００１７】
この構成によれば、第２の状態のときに、保持プレート部は、第２の折り目及び第３の折り目を介して段階的に折られる。これにより、より一層、ベースプレート部が折り目を介して自然に折られることを抑制できる。
【００１８】
上記一態様の場合、第２の折り目は、第１の折り目に直交することが好ましい。
【００１９】
上記一態様の場合、ベースプレート部は、折り目を中心に線対称に形成され、保持プレート部は、第１の折り目を中心に線対称に形成されていることが好ましい。
【００２０】
上記一態様の場合、展開手段は、ベースプレート部及び保持プレート部がそれぞれ折り目及び第１の折り目を介して折り畳まれるように張力を付与すると共に、保持プレート部が第２の折り目を介して折られるように張力を付与することが好ましい。
【００２１】
この構成によれば、第１の状態のときには、展開手段の張力によって、ベースプレート部及び保持プレート部を折り畳むようにできる。第２状態のときには、展開手段の張力によって、保持プレート部の展開状態を維持できるようになる。
【００２２】
この場合、展開手段は、折り目及び第１の折り目の少なくとも一つと、第２の折り目と、をそれぞれ跨ぐように、ベースプレート部と保持プレート部との間に掛け渡された可撓性の張力付与部材であることが好ましい。
【００２３】
こうすることで、展開手段を簡易な構成とすることができる。
【００２４】
本発明の広告塔は、上記した本発明の展開式プレートが内部に設けられ、扁平状態と膨張状態との間で変形される広告塔であって、展開式プレートは、扁平状態のときに第１の状態に変形可能に構成される一方、膨張状態のときに第２の状態に変形されることにより、膨張状態を保持可能に構成されているものである。
【００２５】
この構成によれば、扁平状態のときには展開式プレートを第１の状態に変形できるので、広告塔及び展開式プレートを全体としてコンパクトにできる。また、膨張状態のときには、第２の状態に変形された展開式プレートによりその膨張状態を保持できるので、広告塔が自然に扁平状態に変形されることを抑制できる。
【００２６】
本発明の他の広告塔は、上記一態様に係る本発明の展開式プレートが下部に設けられ、少なくとも下部が扁平状態と膨張状態との間で変形される広告塔であって、展開式プレートは、ベースプレート部の折り目に直交する方向の端部から延在し、広告塔の倒伏を抑制する倒伏抑制プレート部を有し、展開式プレートは、扁平状態のときに第１の状態に変形可能に構成される一方、膨張状態のときに第２の状態に変形されることにより、倒伏抑制プレート部が広告塔の外側の設置面に着地可能に構成されているものである。
【００２７】
この構成によれば、上記同様に、扁平状態のときには、広告塔及び展開式プレートを全体としてコンパクトにできる。また、膨張状態のときには、第２の状態に変形された展開式プレートの倒伏抑制プレート部が広告塔の外側の設置面に着地するので、広告塔が風などの影響により倒れることを抑制できる。
【００２８】
この場合、ベースプレート部、保持プレート部及び展開手段は、広告塔の下部の内部に位置し、倒伏抑制プレート部は、広告塔の下部の外部に位置することが好ましい。
【００２９】
この場合、展開式プレートは、ベースプレート部又は倒伏抑制プレート部から延在し、展開式プレートを広告塔の下部に固定するための固定部を有することが好ましい。
【００３０】
また、ベースプレート部には、広告塔の下部をはめ込むための嵌合部が形成されていることが好ましい。
【００３１】
これらの場合、展開式プレートは、扁平状態から膨張状態への広告塔の変形に連動して、第１の状態から第２の状態に変形するように構成されていることが好ましい。
【００３２】
この構成によれば、広告塔の膨張状態への変形に連動して、展開式プレートを簡易に展開させることができる。
【００３３】
また、本発明の展開式プレートは、プラスチック段ボールで形成されることが好ましい。
【００３４】
こうすることで、軽量で且つ強度のある展開式プレートを構成できる。
【発明の効果】
【００３５】
以上説明した本発明の展開式プレートによれば、自立的に展開でき且つ自然に折り畳まれることを抑制できる。
【発明を実施するための最良の形態】
【００３６】
以下、添付図面を参照して、本発明の好適な実施形態について説明する。
図１ないし図４は、それぞれ、膨張状態の広告塔を示す斜視図、正面図、右側面図及び底面図である。また、図５及び図６は、扁平状態の広告塔を示す正面図及び右側面図である。
【００３７】
図１ないし図４に示すように、膨張状態の広告塔１は、鉛直方向に長い筒状に構成されている。広告塔１の筒状の形状は、円筒又は角筒のいずれでもよく、また、筒状の断面形状は、円、半円、長円又は三日月のいずれであってもよいが、ここでは楕円で構成されている。広告塔１の外周面２には、この広告塔１が宣伝する広告の内容や、広告主である会社のロゴ、各種の文字、図形又は記号などの標章を付され得る。ここでは、広告塔１の正面側の一部の外周面２に、「Ａ」の文字が表示されている。
【００３８】
広告塔１は、紙や樹脂など、各種の材料で形成することができる。ここでは、低コスト化や廃棄のし易さ等の観点から、広告塔１を厚紙で形成している。この場合、広告塔１は、折り畳み可能な二枚の厚紙３，３をつなぎ合わせることで、膨張状態と扁平状態との間で変形可能に組み立てられている。厚紙３，３同士がつなぎ合わせられる部位４，４は、膨張状態の広告塔１の断面形状において、楕円の長軸方向の両端に相当する位置である。
【００３９】
膨張状態の広告塔１の上下端部は、楕円状に開口している。広告塔１の下部５には、広告塔１の台座として機能し得る展開式プレート１０が取り付けられている。本実施形態では、広告塔１は、下部５の下端面６と展開式プレート１０とが地面上に着地することで、地面上に設置される。設置されたとき、展開式プレート１０の一対の倒伏抑制プレート部４０，４０が、広告塔１における楕円の短軸方向に延在して、広告塔１の倒伏が抑制されるようになっている。
【００４０】
広告塔１は、各厚紙３の三つの折り目７，７，７によって鉛直方向に四つのエリアに区画されている。図５及び図６に示すように、広告塔１は、各折り目７で折られることで、図５の正面視、一つのエリアに相当するサイズに折り畳まれるように構成されている。また図６に示すように、広告塔１は、厚紙３，３同士が互いに内面を接近させて重なり合うように、全体として扁平に折り畳み可能に構成されている。これにより、広告塔１を宣伝として使用する必要がない例えば保管時には、広告塔１を扁平状態に折り畳んでおくことができるようになっている。
【００４１】
このように、広告塔１は、図１ないし図４に示す膨張状態と、図５及び図６に示す扁平状態との間で変形可能に構成されている。図示省略したが、広告塔１を折畳みの扁平状態から展開される膨張状態へと変形するには、図５及び図６に示す状態において、例えば下部５のエリアを上部のエリアから遠ざけるように広げるようにすればよい。こうすることで、広告塔１は、扁平状態から自動的に展開されて膨張状態へと変形する。
【００４２】
また、この広告塔１に取り付けられた展開式プレート１０も、折り畳まれた第１の状態（図５、図６及び図９参照）と、展開された第２の状態（図１ないし図４及び図１０ないし図１２参照）との間で変形するように構成されている。好ましくは、展開式プレート１０は、広告塔１の扁平状態から膨張状態への変形に連動して、第１の状態から第２の状態に自動的に変形するように構成されている。
【００４３】
なお、広告塔１の下部５には、下端面６から上方へと所定の長さ延在する一対の切欠き８，８が形成されている。一対の切欠き８，８は、広告塔１における楕円の短軸方向の両端に相当する位置又はその近傍に形成されている。一対の切欠き８，８に展開式プレート１０の一部を嵌め込むようにすることで、広告塔１の下側から展開式プレート１０を取り付けることができる。なお、広告塔１の下端面６と展開式プレート１０の倒伏抑制プレート部４０の下端面とは、面一になる。
【００４４】
他の実施態様では、広告塔１の上部及び中間部は筒状でなくても良く、例えば柱状であってもよい。また、柱状の広告塔の断面形状も特に限定されるものではなく、例えば、矩形、円形、半円形及び楕円形などのいずれであってもよい。
【００４５】
図７及び図８は、それぞれ、第２の状態に移行する直前の展開式プレート１０を示す平面図及び底面図である。図９は、第１の状態の展開式プレート１０を示す図であり、（Ａ）平面図、（Ｂ）正面図である。図１０及び図１１は、第２の状態の展開式プレート１０を示す平面図及び底面図である。
【００４６】
図７ないし図９に示すように、展開式プレート１０は、ベースプレート部２０、保持プレート部３０、一対の倒伏抑制プレート部４０、４０、一対の固定プレート部５０、５０及び一本の輪ゴム６０を有している。これらプレート部分（ベースプレート部２０、保持プレート部３０、倒伏抑制プレート部４０、及び固定プレート部５０）は、同一の厚みを有する板状部材であり、互いに一体に形成されている。
【００４７】
なお、図７に表される、プレート部分（２０、３０、４０及び５０）の一方の平面を総称して、展開式プレート１０の表面１０ａといい、図８に表されるプレート部分（２０、３０、４０及び５０）の他方の平面を総称して、展開式プレート１０の裏面１０ｂという。
【００４８】
展開式プレート１０は、プレート部分（２０、３０、４０及び５０）を、紙や樹脂など、各種の材料で形成することができる。ここでは、プレート部分（２０、３０、４０及び５０）は、例えばＰＰＴやポリプロピレンなどの樹脂を原料として押出法によって製造され、プラスチック段ボール（いわゆるダンプラ）で一体に形成されている。ダンプラを用いることで、展開式プレート１０に所定の剛性、耐久性及び耐水性をもたせつつ、展開式プレート１０を軽量化できる。
【００４９】
ダンプラは、ハニカム構造（中空構造体）を有し、主として二枚の板材の間に複数の縦板を一方向に一体に有した構成からなる。このため、縦板と縦板との間には、中空の空間が構成されている。このような中空構造体は、例えば縦板の延在方向（中空の目）に沿って二枚の板材の一方のみを切り込むと、その切込み部位がヒンジとして機能する。すなわち、半切りされた中空構造体は、その切込み線を境として折畳み及び展開可能となる。なお、切込み方向を変えて、中空の目に対して直角に又は交差する角度で半切りしても、中空構造体はヒンジ機能を具備する。ただし、切込み方向によっては、自然状態でも切込み線を境として展開するようになるなど、切込み部位に作用される展開力は異なる。
【００５０】
本実施形態の展開式プレート１０は、上記のダンプラの特性を活用し、裏面１０ｂ側を半切りされることで、ベースプレート部２０、保持プレート部３０、及び固定プレート部５０を折畳み可能に構成している。
【００５１】
具体的には、ベースプレート部２０、保持プレート部３０、及び固定プレート部５０は、図７に示す状態から、図７に示す矢印方向に折ることができるように構成されている。なお、以下で説明する各「折り目」２１，３１，３２，３３（図８参照）は、ダンプラの切込み線に相当するものである。また、図７等においては、各「折り目」２１，３１，３２，３３に相当する表面１０ａ側の位置が二点鎖線で示されている。
【００５２】
ベースプレート部２０は、図８に示すように、折り目２１を有すると共に、折り目２１を中心に左右対称（線対称）に形成されている。ベースプレート部２０の二つの半部２０ａ，２０ｂは、同一の平面上に展開される展開状態（図１０及び図１１参照）と、互いに重なるように折り畳まれる折畳み状態（図９参照）との間で、折り目２１を中心に互いに回動可能に構成されている。
【００５３】
ベースプレート部２０の上端の中央部には、折り目２１を挟んで二つの半部２０ａ，２０ｂに跨って輪ゴム６０を掛け渡すことができるように、掛止め部２２が形成されている。また、ベースプレート部２０の上部の左右側部には、一対の嵌合部２３，２３が形成されている。一対の嵌合部２３，２３は、ベースプレート部２０の上端を下方へと所定の長さ切り込むことで形成されている。一対の嵌合部２３，２３の位置は、下部５の一対の切欠き８，８に対応しており、各嵌合部２３には、各切欠き８の上側の部位が嵌め込まれるようになっている（図１２参照）。
【００５４】
保持プレート部３０は、図８に示すように、第１の折り目３１、第２の折り目３２、及び第３の折り目３３を有している。保持プレート部３０は、第１の折り目３１を中心に左右対称（線対称）に形成されている。保持プレート部３０は、後述するように、ベースプレート部２０が折り目２１で折れ曲がるのを抑制し、ベースプレート部２０の展開状態を保持する。
【００５５】
第１の折り目３１は、折り目２１の延在方向に延在し、折り目２１に連続している。保持プレート部３０は、第１の折り目３１の両側に、対称形状の二つの半部３０ａ，３０ｂを有している。二つの半部３０ａ，３０ｂの下端部には、それぞれ、輪ゴム６０を掛けることができる掛止め部３５，３５が形成されている。
【００５６】
二つの半部３０ａ，３０ｂは、第１の折り目３１を介して互いに重なるようにベースプレート部２０と同方向に折り畳まれる折畳み状態（図９参照）と、第１の折り目３１を介してベースプレート部２０と同方向に展開される展開状態（図１０及び図１１参照）との間で、第１の折り目３１を中心に互いに回動可能に構成されている。二つの半部３０ａ，３０ｂは、折畳み状態と展開状態との間を移行する間に、図７及び図８に示す状態を瞬間的に経る。二つの半部３０ａ，３０ｂは、展開状態のとき、同一の平面上に位置する。
【００５７】
第２の折り目３２及び第３の折り目３３は、それぞれ、第１の折り目３１に直交し、第１の折り目３１を横切っている。第２の折り目３２は、ベースプレート部２０と保持プレート部３０との境界に位置し、この境界を画定している。第３の折り目３３は、第２の折り目３２と所定の間隙を存している。
【００５８】
このような構成により、保持プレート部３０は、第２の折り目３２及び第３の折り目３３で折り曲げられていないとき、ベースプレート部２０と面一になる。一方で、保持プレート部３０は、二つの半部３０ａ，３０ａが第１の折り目３１で折り曲げられていないときに（展開状態のときに）、第２の折り目３２を介して表面１０ａ側に折られることを許容されると共に、第３の折り目３３を介して表面１０ａ側に折られることを許容される。なお、第３の折り目３３は省略しても良い。
【００５９】
一対の固定プレート部５０、５０は、折り目２１及び第１の折り目３１を中心に線対称となっている。各固定プレート部５０は、折り目５１を有している。折り目５１は、折り目２１と平行に延在している。折り目５１は、固定プレート部５０と倒伏抑制プレート部４０との境界に位置し、この境界を画定している。固定プレート部５０は、折り目５１を介して表面１０ａ側に折ることができるように構成されている。
【００６０】
固定プレート部５０は、接着剤や両面テープ等の固定手段により、広告塔１の下部５の内面に固定される（図４及び図１２参照）。より詳細には、一対の固定プレート部５０，５０は、広告塔１の楕円の短軸方向における両端又はその近傍の内面に、固定手段により固定される。なお、他の実施態様では、固定プレート部５０をベースプレート部２０から延在させるようにしても良い。
【００６１】
一対の倒伏抑制プレート部４０、４０は、ベースプレート部２０の折り目２１に直交する方向の両端部から延在し、広告塔１の倒伏を抑制するものである。各倒伏抑制プレート部４０は、平面視扇形の形状からなり、円弧面４１とこれに連なる着地面４２とを有している。着地面４２は、倒伏抑制プレート部４０の下端面に相当し、左右方向に延在している。着地面４２は、広告塔１が設置される際に、広告塔１の下端面６と共に、地面上などに着地する。
【００６２】
倒伏抑制プレート部４０は、折り目２１側の上部が嵌合部２３を存してベースプレート部３０に臨み、折り目２１側の下部が折り目５１を介して固定プレート部５０に連なり、そして折り目２１側の上下中間部がベースプレート部２０に連続的に連なっている。一対の倒伏抑制プレート部４０、４０は、図９に示すように、ベースプレート部２０が折り畳まれたときには、これと同様に重なるように折り畳まれる一方、図１０及び図１１に示すように、ベースプレート部２０が展開されたときには、これと同様に展開される。
【００６３】
輪ゴム６０は、ベースプレート部２０の掛止め部２２と保持プレート部３０の掛止め部３５との間に掛け渡されている。輪ゴム６０は、図７及び図８に示すように、展開式プレート１０の表面１０ａ及び裏面１０ｂの両側に位置している。展開式プレート１０の表面１０ａ側では、掛止め部２２に掛け止めされた輪ゴム６０の一部は、ベースプレート部２０の両半部２０ａ，２０ｂに亘っていると共に、掛止め部３５，３５に掛け止めされた輪ゴム６０の一部は、保持プレート部３０の両半部３０ａ，３０ｂに亘っている。一方、展開式プレート１０の裏面１０ｂ側では、輪ゴム６０の一部は、タスキがけされるように、折り目２１、第２の折り目３２及び第３の折り目３３をそれぞれ跨いでいる。
【００６４】
このような輪ゴム６０の掛け渡し方により、展開式プレート１０の各部位には所定の張力が付与されている。具体的には、輪ゴム６０は、ベースプレート部２０及び保持プレート部３０がそれぞれ折り目２１及び折り目３１を介して折り畳まれるように、展開式プレート１０に張力を付与している。また、輪ゴム６０は、保持プレート部３０が第２の折り目３２及び第３の折り目３３を介して折られるように、展開式プレート１０に張力を付与している。
【００６５】
このような張力の付与により、図９に示すように、輪ゴム６０は、ベースプレート部２０及び保持プレート部３０が第１の状態になること、すなわちベースプレート部２０及び保持プレート部３０が折り目２１及び第１の折り目３１でそれぞれ折り畳まれることを許容する。この状態では、展開式プレート１０は、全体として、二つ折りされたようになる。また、輪ゴム６０は、図７及び図８に示すように、ベースプレート部２０及び保持プレート部３０が折り目２１及び第１の折り目３１を介して展開することを許容する。
【００６６】
さらに、輪ゴム６０は、図７及び図８に示すように、ベースプレート部２０及び保持プレート部３０が折り目２１及び第１の折り目３１を介して展開することを許容する。そして、図７及び図８に示すように、ベースプレート部２０の両半部２０ａ，２０ｂ及び保持プレート部３０の両半部３０ａ，３０ｂが同一の平面内に位置まで展開すると、図１０及び図１１に示すように、輪ゴム６０は、保持プレート部３０の両半部３０ａ，３０ｂを第２及び第３の折り目３２，３３で表面１０ａ側に瞬間的に折り曲げる。
【００６７】
つまり、輪ゴム６０は、ベースプレート部２０が第１の状態（図９）から第２の状態（図１０及び図１１）に移行されるときに、張力によって保持プレート部３０を第１の状態（図９）から第２の状態（図１０及び図１１）に移行させる。この保持プレート部３０の移行は、輪ゴム６０の張力によって、両半部２０ａ，２０ｂ及び両半部３０ａ，３０ｂが同一の平面内に位置するやいなや瞬間的に行われる。そして、第２の状態のとき、輪ゴム６０は、保持プレート部３０の展開状態（図１０及び図１１）を保持するように、換言すれば保持プレート部３０がベースプレート部２０と同一平面とならないように、張力を付与する。
【００６８】
なお、輪ゴム６０の掛け渡し方は上記に限らず、掛止め部２２，３５の位置や形状等によって、適宜設計することができる。例えば、輪ゴム６０の一部が第１の折り目３１を跨ぐようにしてもよい。また、他の実施態様では、輪ゴム６０に限らず他の可撓性の張力付与部材を用いて、請求項に記載の「展開手段」を構成してもよい。さらに、第２の折り目３２は第１の折り目３１に９０度以外の角度で交差してもよい。
【００６９】
以上の構成により、展開式プレート１０は、上記した第１の状態と第２の状態との間で変形する。図９に示す第１の状態のとき、展開式プレート１０は全体として二つ折りにされる。そして、ベースプレート部２０が第１の状態から第２の状態に移行するとき、展開式プレート１０は、輪ゴム６０によって瞬間的に保持プレート部３０を第２の状態に移行される。
【００７０】
図１０及び図１１に示す第２の状態のときの（つまり展開された）保持プレート部３０は、ベースプレート部３０の折り目２１を跨ぐように第２の折り目３２で折られているため、ベースプレート部３０が折り目２１で自然に折られることを抑制する。つまり、第２の状態のとき、保持プレート部３０は、ベースプレート部２０の展開状態を保持する。また、第２の状態のとき、保持プレート部３０は、第３の折り目３３でも折られているため、より一層、ベースプレート部３０の展開状態を強固に保持する。一方で、第２の状態のとき、保持プレート部３０自体も、第１の折り目３１で自然に折られることを抑制される。
【００７１】
このように、本実施形態の展開式プレート１０によれば、簡易な構成により、自立的に展開でき且つ自然に折り畳まれることを抑制できる。なお、展開されて第２の状態になった展開式プレート１０に対し、輪ゴム６０の張力に抗する外力を印加し、展開されたプレート部を折畳むようにすることで、第２の状態から第１の状態へと展開式プレート１０を簡易に変形することもできる。
【００７２】
次に、図４、図１２及び図１３を参照して、展開式プレート１０と広告塔１との関係について説明する。
【００７３】
広告塔１に取り付けられた展開式プレート１０は、ベースプレート部２０、保持プレート部３０、固定プレート部５０及び輪ゴム６０が、広告塔１の下部５の内部に位置する一方、倒伏抑制プレート部４０が広告塔１の下部５の外部に位置している。
【００７４】
展開式プレート１０は、広告塔１が扁平状態のときに上記した第１の状態（図９参照）に変形可能に構成されている。第１の状態のときの展開式プレート１０は、ベースプレート部２０及び保持プレート部３０が広告塔１の下部５の内部で折り畳まれる一方、倒伏抑制プレート部４０が下部５の外周面に沿うようになる（図５及び図６参照）。これにより、展開式プレート１０及び広告塔１を全体として扁平にして、コンパクトにできるようになっている。
【００７５】
一方で、展開式プレート１０は、図４及び図１２に示すように、広告塔１が膨張状態のときに上記した第２の状態に変形されるようになっている。そして、この変形により、一対の倒伏抑制プレート部４０、４０は、広告塔１の楕円における短軸方向の両端から突出するように、広告塔１の外周面２よりも外側に突出する。これにより、地上に設置される広告塔１では、その下端面６が地上面に着地すると共に、一対の倒伏抑制プレート部４０、４０が地上面に着地するようになる。このような着地態様とすることで、膨張状態の広告塔１が風などの影響により倒れることを抑制でき、広告塔１を安定して設置させることができる。
【００７６】
また、展開式プレート１０は、第２の状態のときに、広告塔１の膨張状態を保持するように機能する。これは、第２の状態のとき、ベースプレート部２０の展開状態が保持されながら、ベースプレート部２０の左右方向の両側にある一対の嵌合部２３、２３が、広告塔１の下部５の部位のうち、楕円の短軸方向の両端に相当する部位を嵌め込んでいるからである。
【００７７】
以上説明したように、本実施形態の展開式プレート１０によれば、扁平状態と膨張状態との間で変形される広告塔１に適切に組み込むことができ、広告塔１の膨張状態を保持できると共に、広告塔１を倒れ難くすることができる。
【００７８】
なお、他の実施態様では、展開式プレート１０を広告塔１の下部のみならず、上部や中間部に組み込んで、展開式プレート１０により広告塔１の膨張状態を保持するようにしてもよい。ただし、この場合には地面に設置させる必要が無いため、展開式プレート１０の構成のうち、倒伏抑制プレート部４０を省略することができ、展開式プレート１０の全て又は大部分を広告塔１の内部に設けることができる。また、他の実施態様では、展開式プレート１０を折る回数は任意である。
【００７９】
＜変形例＞
図１４及び図１５は、本発明の変形例に係る展開式プレート１０を示す平面図及び底面図であり、図７及び図８に対応する図である。変形例の展開式プレート１０は、上記の展開式プレート１０と同様に、第１の状態と第２の状態との間で変形されるものであり、広告塔１に好適に取り付けることができるものである。
【００８０】
上記の展開式プレート１０との相違点は、変形例の展開式プレート１０において、掛止め部２２や掛止め部３５の構成、及び輪ゴム６０の掛け渡し方などを一部変更したことである。それゆえ、基本的な構成は両者で同様であるが、図１４及び図１５に示すように、第２の状態のときに、保持プレート部３０が第２の折り目３２及び第３の折り目３３で折れ曲がる方向は、展開式プレート１０の裏面１０ｂ側であり、上記の展開式プレート１０とは異なっている。ここでは、図１４及び図１５に示す変形例の展開式プレート１０において、上記の展開式プレート１０と同様の構成について同一の符号を付することで、その詳細な説明を省略する。
【産業上の利用可能性】
【００８１】
以上説明した展開式プレートは、筒状の広告塔に好適であるが、少なくとも下部が筒状に構成された広告宣伝用品又は他の物品を支持するのにも用いることができる。例えば、展開式プレートは、看板、投票箱、抽選箱又はＣＤラックなどの少なくとも下部が筒状に構成された物品を支持するのに好適である。
【図面の簡単な説明】
【００８２】
【図１】実施形態に係る展開式プレートを取り付けられた膨張状態の広告塔の斜視図である。
【図２】実施形態に係る展開式プレートを取り付けられた膨張状態の広告塔の正面図である。
【図３】実施形態に係る展開式プレートを取り付けられた膨張状態の広告塔の右側面図である。
【図４】実施形態に係る展開式プレートを取り付けられた膨張状態の広告塔の底面図である。
【図５】実施形態に係る展開式プレートを取り付けられた扁平状態の広告塔の正面図である。
【図６】実施形態に係る展開式プレートを取り付けられた扁平状態の広告塔の右側面図である。
【図７】第２の状態に移行する直前の実施形態に係る展開式プレートの平面図である。
【図８】第２の状態に移行する直前の実施形態に係る展開式プレートの底面図である。
【図９】第１の状態の実施形態に係る展開式プレートを示す図であり、（Ａ）平面図、（Ｂ）正面図である。
【図１０】第２の状態の実施形態に係る展開式プレートの平面図である。
【図１１】第２の状態の実施形態に係る展開式プレートの底面図である。
【図１２】図３における広告塔の下部を一部破断した図である。
【図１３】扁平状態から膨張状態に移行する途中の広告塔の底面図である。
【図１４】第２の状態に移行する直前の変形例に係る展開式プレートの平面図である。
【図１５】第２の状態に移行する直前の変形例に係る展開式プレートの底面図である。
【符号の説明】
【００８３】
１：広告塔、２：外周面、５：下部、６：下端面、１０：展開式プレート、１０ａ：表面、１０ｂ：裏面、２０：ベースプレート部、２０ａ：半部、２０ｂ：半部、２１：折り目、２２：掛止め部、３０：保持プレート部、３０ａ：半部、３０ｂ：半部、３１：第１の折り目、３２：第２の折り目、３３：第３の折り目、３５：掛止め部、４０：倒伏抑制プレート部、４２：着地面、５０：固定プレート部（固定部）、５１：折り目、６０：輪ゴム（展開手段）
【図１】
2007304127.tif 000003
【図２】
2007304127.tif 000004
【図３】
2007304127.tif 000005
【図４】
2007304127.tif 000006
【図５】
2007304127.tif 000007
【図６】
2007304127.tif 000008
【図７】
2007304127.tif 000009
【図８】
2007304127.tif 000010
【図９】
2007304127.tif 000011
【図１０】
2007304127.tif 000012
【図１１】
2007304127.tif 000013
【図１２】
2007304127.tif 000014
【図１３】
2007304127.tif 000015
【図１４】
2007304127.tif 000016
【図１５】
2007304127.tif 000017